(57)【要約】【課題】メカ的、電気的、光学的に複雑な制御をせずに安定した縮小機能を備えた画像読み取り方法および画像読み取り装置を提供する。【解決手段】発光手段と、前記発光手段により照明される原稿の画像を主走査方向に読み取る撮像手段と、前記撮像手段を所定の読み取り周期で駆動する主走査駆動手段と、前記撮像手段に対して発光手段及び前記原稿の少なくとも一方を前記主走査方向と直交する副走査方向に相対的に副走査速度で移動させることにより前記撮像手段で前記原稿の画像の読み取りを実行させる副走査駆動手段と、前記主走査駆動手段での主走査方向の読み取り周期を変倍率に反比例するように制御し、前記発光手段での発光強度と１読み取り周期内の発光時間とを前記変倍率に関わらず一定に制御し、前記副走査駆動手段での前記副走査速度を前記変倍率に関わらず一定に制御する制御手段と、を備える。【選択図】図１
2007150981.tif 000002
【特許請求の範囲】
【請求項１】
受光素子を主走査方向に複数備えた撮像手段に対して発光手段及び当該発光手段により照明される原稿の少なくとも一方を前記主走査方向と直交する副走査方向に相対的に副走査速度で移動させながら、前記撮像素子による主走査方向の読み取りを周期的行なうことによって前記原稿の画像の読み取りを行う画像読み取り方法であって、
前記撮像手段の主走査方向の読み取り周期を変倍率に反比例するように制御し、
前記発光手段の発光強度と１読み取り周期内の発光時間とを前記変倍率に関わらず一定に制御し、
前記副走査速度を前記変倍率に関わらず一定に制御する、
ことを特徴とする画像読み取り方法。
【請求項２】
前記変倍率は縮小率である、
ことを特徴とする請求項１記載の画像読み取り方法。
【請求項３】
前記発光時間の制御は、変倍率に反比例するように制御された主走査方向の読み取り周期内における点灯時間の制御である、
ことを特徴とする請求項１または請求項２に記載の画像読み取り方法。
【請求項４】
前記発光時間の制御は、前記発光手段のパルス幅変調による制御である、
ことを特徴とする請求項３記載の画像読み取り方法。
【請求項５】
前記発光時間の制御は、前記発光手段に設けられたシャッタ手段による制御である、
ことを特徴とする請求項３記載の画像読み取り方法。
【請求項６】
発光手段と、
主走査方向に受光素子を複数備え、前記発光手段により照明される原稿の画像を主走査方向に読み取る撮像手段と、
前記撮像手段を所定の読み取り周期で繰り返し駆動する主走査駆動手段と、
前記撮像手段に対して前記発光手段及び前記原稿の少なくとも一方を、前記主走査方向と直交する副走査方向に相対的に副走査速度で移動させることにより前記撮像手段で前記原稿の画像の読み取りを実行させる副走査駆動手段と、
前記主走査駆動手段での主走査方向の読み取り周期を変倍率に反比例するように制御し、前記発光手段での発光強度と１読み取り周期内の発光時間とを前記変倍率に関わらず一定に制御し、前記副走査駆動手段での前記副走査速度を前記変倍率に関わらず一定に制御する制御手段と、
を備えたことを特徴とする画像読み取り装置。
【請求項７】
前記変倍率は縮小率である、
ことを特徴とする請求項６記載の画像読み取り装置。
【請求項８】
前記制御手段は、前記発光時間の制御として、変倍率に反比例するように制御された主走査方向の読み取り周期内における点灯時間の制御を行う、
ことを特徴とする請求項６または請求項７に記載の画像読み取り装置。
【請求項９】
前記制御手段は、前記発光時間の制御として、前記発光手段のパルス幅変調による制御を行う、
ことを特徴とする請求項８記載の画像読み取り装置。
【請求項１０】
前記発光手段は、発光の出力を透過と遮断とで制御するシャッタ手段を備え、
前記制御手段は、前記発光時間の制御として、前記発光手段に設けられたシャッタ手段による制御を行う、
ことを特徴とする請求項８記載の画像読み取り装置。
【発明の詳細な説明】
【技術分野】
【０００１】
本発明は、受光素子を主走査方向に複数備えた撮像素子に対して発光手段及び当該発光手段により照明される原稿の少なくとも一方を副走査方向に相対的に移動させながら前記撮像手段による主走査方向の読み取りを周期的に行なうことによって原稿の画像の読み取りを実行する画像読み取り方法及び装置に関する。
【背景技術】
【０００２】
発光素子を主走査方向に複数備えた発光手段により照明される原稿の画像を、ラインセンサなどの撮像手段にて主走査方向に読み取ると共に、発光手段及び撮像手段と原稿とを副走査方向に相対的に移動させることにより、撮像手段で原稿の画像の読み取りを実行する画像読み取り装置が存在している。
【０００３】
この種の画像読み取り装置にて、読み取りの際に、縮小された画像データを生成する縮小機能を備えたものが存在している。
このように画像読み取り装置の縮小機能としては、以下の特許文献１などに関連技術が記載されている。
【特許文献１】特開２０００−２２４３８０号公報（第１頁、図１）
【発明の開示】
【発明が解決しようとする課題】
【０００４】
（Ａ）従来の画像読み取り装置の縮小機能としては、以下に述べるような手法により実現をしていた。
（Ａ１）モータ制御：
単純に縮小を行う場合には、副走査方向のスキャン速度Ｓｖ'を等倍時のスキャン速度Ｓｖに対して、倍率αに反比例させる制御を行う。式で表すと以下のようになる。
【０００５】
Ｓｖ'＝Ｓｖ／α、
たとえば、等倍時の副走査方向スキャン速度Ｓｖが４６５mm/sであるとすると、５０％に縮小した場合の副走査方向スキャン速度Ｓｖ'は、
Ｓｖ'＝４６５／０．５０＝９３０mm/s、になる。
【０００６】
このモータ制御の縮小処理の場合の副走査方向のスキャン速度を図示すると、図７（ａ）のようになる。すなわち、読み取り倍率（変倍率）αと副走査方向のスキャン速度Ｓｖ'とが反比例であるため、最小倍率の２５％時には、副走査方向のスキャン速度Ｓｖ'が等倍時の４倍にもなる。このため、モータや駆動回路など各部の負担が大きく、装置寿命にも影響が生じる。さらに、このような高速駆動によって振動が発生し、画質への悪影響も生じてくる。このため、振動吸収用の部材を設ける必要が生じてくる。
【０００７】
（Ａ２）モータ制御＋間引き制御：
以上の（１）モータ制御のみでは副走査方向のスキャン速度Ｓｖ'が高速化してしまうため、実際の動作や制御が困難になる。そこで、変倍率１００％〜５１％の範囲では上述した（１）のモータ制御を実行する。そして、変倍率５０％〜２５％ではモータ制御に加えて、主走査方向の読み取りデータを１ライン毎に間引く間引き制御を実行する。これにより、変倍率５０％〜２５％では、変倍率１００％〜５０％と同じ副走査方向のスキャン速度Ｓｖ'で済むようになる（図７（ｂ）参照）。すなわち、最小倍率の２５％時で、副走査方向のスキャン速度Ｓｖ'が等倍時の２倍になる。このため、モータや駆動回路など各部の負担が若干改善される。但し、間引きにより画質の悪化が発生する。
【０００８】
（Ａ３）モータ制御＋間引き制御＋主走査方向読み取り周期延長：
以上の（２）モータ制御＋間引き制御では、変倍率５０％時と変倍率２５％時に、副走査方向のスキャン速度Ｓｖ'を等倍時の２倍にする必要がある。このため、（１）よりは軽減されているものの、実際の動作や制御が困難であって、振動が発生する問題が生じる。そこで、ラインセンサなどの撮像手段の主走査方向読み取り周期（撮像素子電荷蓄積時間）延長という手法を加えることにする。すなわち、主走査方向読み取り周期延長（延長率β）によって、副走査方向のスキャン速度が一定であっても、主走査方向読み取りデータのライン数が１／βになる。これは、相対的に、副走査方向のスキャン速度がβ倍になったと等しい縮小効果が得られる。したがって、変倍率１００％〜７５％の範囲では上述した（１）のモータ制御、変倍率７５％〜５０％の範囲ではモータ制御＋読み取り周期延長、変倍率５０％〜３７．５％の範囲ではモータ制御＋間引き制御、変倍率３７。５％〜２５％の範囲ではモータ制御＋読み取り周期延長＋間引き制御、を実行する（図７（ｃ）参照）。ここで、読み取り周期延長のβが１．５であるとすると、副走査方向のスキャン速度Ｓｖ'は、変倍率７５％、５０％、３７．５％、２５％時に等倍時の１．５倍になる。また、副走査方向のスキャン速度Ｓｖ'の最小値は、β＝１．５とした場合に、Ｓｖ'min＝（Ｓｖ／０．７４）＊（１／β）＝０．８９、となるため、０．８９倍になる。
【０００９】
（Ｂ）以上の手法において、読み取り周期延長を用いる上記（Ａ３）によれば、モータ制御による副走査方向のスキャン速度Ｓｖ'は最大１．５倍で済むようになる。しかし、撮像手段の受光量も通常時のβ倍になり、撮像手段に含まれる受光素子が飽和してしまう可能性がある。そこで、撮像手段で原稿を読み取る際に照明する発光手段の発光強度を約１／βに低下させる光量制御が必要になる。
【００１０】
そして、このような発光強度の制御を行う場合には、光量や露光時間が変化することに伴ってシェーディング特性も変化するため、シェーディング補正データを別に用意して別の補正を行う必要が生じてくる。
【００１１】
（Ｃ）以上のように、モータ制御のみによっては可変範囲が広いため実際の駆動にメカ的な各種の問題が生じることになる。一方、可変範囲を狭くするため各種制御を組み合わせたとしても、メカ的な制御が残っており、更に電気的な各種の制御や光学的な制御を併用する必要が生じてきて、制御が複雑化する問題を有している。
【００１２】
本発明は、以上のような課題を解決するためになされたものであって、メカ的、電気的、光学的に複雑な制御をせずに安定した縮小機能を備えた画像読み取り方法および画像読み取り装置を提供することを目的とする。
【課題を解決するための手段】
【００１３】
以上の課題を解決する本発明は、以下に記載するようなものである。
（１）請求項１記載の発明は、受光素子を主走査方向に複数備えた撮像手段に対して発光手段及び当該発光手段により照明される原稿の少なくとも一方を前記主走査方向と直交する副走査方向に相対的に副走査速度で移動させながら、前記撮像素子による主走査方向の読み取りを周期的行なうことによって前記原稿の画像の読み取りを行う画像読み取り方法であって、前記撮像手段の主走査方向の読み取り周期を変倍率に反比例するように制御し、前記発光手段の発光強度と１読み取り周期内の発光時間とを前記変倍率に関わらず一定に制御し、前記副走査速度を前記変倍率に関わらず一定に制御する、ことを特徴とする画像読み取り方法である。
【００１４】
（２）請求項２記載の発明は、前記変倍率は縮小率である、ことを特徴とする請求項１記載の画像読み取り方法である。
（３）請求項３記載の発明は、前記発光時間の制御は、変倍率に反比例するように制御された主走査方向の読み取り周期内における点灯時間の制御である、ことを特徴とする請求項１または請求項２に記載の画像読み取り方法である。
【００１５】
（４）請求項４記載の発明は、前記発光時間の制御は、前記発光手段のパルス幅変調による制御である、ことを特徴とする請求項３記載の画像読み取り方法である。
（５）請求項５記載の発明は、前記発光時間の制御は、前記発光手段に設けられたシャッタ手段による制御である、ことを特徴とする請求項３記載の画像読み取り方法である。
【００１６】
（６）請求項６記載の発明は、発光手段と、主走査方向に複数の受光素子を備え、前記発光手段により照明される原稿の画像を主走査方向に読み取る撮像手段と、前記撮像手段を所定の読み取り周期で繰り返し駆動する主走査駆動手段と、前記撮像手段に対して前記発光手段及び前記原稿の少なくとも一方を前記主走査方向と直交する副走査方向に相対的に副走査速度で移動させることにより前記撮像手段で前記原稿の画像の読み取りを実行させる副走査駆動手段と、前記主走査駆動手段での主走査方向の読み取り周期を変倍率に反比例するように制御し、前記発光手段での発光強度と１読み取り周期内の発光時間とを前記変倍率に関わらず一定に制御し、前記副走査駆動手段での前記副走査速度を前記変倍率に関わらず一定に制御する制御手段と、を備えたことを特徴とする画像読み取り装置である。
【００１７】
（７）請求項７記載の発明は、前記変倍率は縮小率である、ことを特徴とする請求項６記載の画像読み取り装置である。
（８）請求項８記載の発明は、前記制御手段は、前記発光時間の制御として、変倍率に反比例するように制御された主走査方向の読み取り周期内における点灯時間の制御を行う、ことを特徴とする請求項６または請求項７に記載の画像読み取り装置である。
【００１８】
（９）請求項９記載の発明は、前記制御手段は、前記発光時間の制御として、前記発光手段のパルス幅変調による制御を行う、ことを特徴とする請求項８記載の画像読み取り装置である。
【００１９】
（１０）請求項１０記載の発明は、前記発光手段は、発光の出力を透過と遮断とで制御するシャッタ手段を備え、前記制御手段は、前記発光時間の制御として、前記発光手段に設けられたシャッタ手段による制御を行う、ことを特徴とする請求項８記載の画像読み取り装置である。
【発明の効果】
【００２０】
以上の発明では、受光素子を主走査方向に複数備えた撮像手段に対して発光手段及び当該発光手段により照明される原稿の少なくとも一方を主走査方向と直交する副走査方向に相対的に副走査方向で移動させながら前記撮像手段により主走査方向の読み取りを周期的に行なうことによって原稿の画像の読み取りを行う際に、撮像手段の主走査方向の読み取り周期を変倍率に反比例するように制御し、発光手段の発光強度と１読み取り周期内の発光時間とを変倍率に関わらず一定に制御し、副走査速度を変倍率に関わらず一定に制御する。
【００２１】
なお、以上の変倍率は例えば倍率が１．０未満の縮小率である。また、発光時間の制御は、例えば変倍率に反比例するように制御された主走査方向の読み取り周期内における点灯時間の制御である。ここで、発光時間の制御は、発光手段のパルス幅変調による制御、または、発光手段に設けられたシャッタ手段による制御が例示できる。
【００２２】
ここで、撮像手段の主走査方向の読み取り周期を変倍率に反比例するように制御することで、変倍が縮小である場合、主走査方向読み取り周期延長（延長率β）によって、副走査方向のスキャン速度が一定であっても、主走査方向読み取りデータのライン数が１／βになり、副走査方向のスキャン速度がβ倍になったと等しい縮小効果が得られる。
【００２３】
そして、発光手段の発光強度と１読み取り周期内の発光時間とを変倍率に関わらず一定に制御することで、読み取り周期延長によって撮像手段が飽和することもない。
さらに、副走査速度を変倍率に関わらず一定に制御することにより、複雑なメカ的な制御や、広範囲の振動周波数に対応する振動対策の必要がない。これに加え、発光手段の発光強度が一定であるため、発光強度変更制御が必要ないことに加え、シェーディング補正データを複数用意する必要もなくなる。
【００２４】
この結果、モータ速度変更は必要なく、発光強度変更の制御も必要なく、副走査方向のスキャン速度や間引きなどの複数種類の複雑な制御を組み合わせる必要もなく、安定した縮小機能を備えた画像読み取りを実現できる。
【発明を実施するための最良の形態】
【００２５】
以下、図面を参照して本発明を実施するための最良の形態（以下、実施形態）を詳細に説明する。
なお、原稿の内容を画像情報として読み取って画像データを生成して出力する画像読み取り装置であっても、また、原稿読み取り手段（スキャナ）により複写対象物（原稿）の内容を画像情報として読み取って複写する機能を備えた画像形成装置（複写装置）であっても、さらに、原稿読み取り手段（スキャナ）により送信対象物（原稿）の内容を画像情報として読み取って通信回線を介して送信する機能を備えた画像送信装置（ファクシミリ装置）であっても、本発明の実施形態を適用することが可能である。
【００２６】
なお、この実施形態では、発光素子を主走査方向に複数備えた発光手段と、前記発光手段により照明される原稿の画像を主走査方向に読み取る撮像手段と、前記発光手段及び前記撮像手段と前記原稿とを、前記主走査方向と直交する副走査方向に相対的に移動させることにより前記撮像手段で前記原稿の画像の読み取りを実行させる走査駆動手段と、を備えた画像読み取り方法、画像読み取り装置により説明を行う。
【００２７】
〈画像読み取り装置の機械的構成〉
まず、図２を参照して本実施形態の画像読み取り装置の機械的構成を説明する。なお、ここでは、一例として、原稿をプラテンガラス上に載置した状態で原稿の画像を読み取るか、自動給送する原稿を読み取るかにより、画像データを生成する機能を有する画像読み取り装置１００を本実施形態の具体例として用いる。
【００２８】
ここで、紙面垂直方向（主走査方向）を長尺な形状を有する光源としての発光素子アレイ部１６０により、プラテンガラス１７５上に載置された原稿の原稿面が照射される。そして、原稿での反射光がミラー１７１，１７２，１７３を介して結像光学系を介して撮像手段（光電変換手段）であるセンサ部１１０の受光面に像を結ぶ。
【００２９】
ここで、発光素子アレイ部１６０は、ＬＥＤや有機ＥＬ素子などの複数の発光素子により構成された発光素子群を主走査方向（紙面垂直方向）に複数備えたことにより長尺形状を構成する発光手段である。なお、本実施形態においては、光源として後述するように発光時間の制御を行うため、ハロゲンランプのような電球タイプではなく、高速応答性を有するＬＥＤや有機ＥＬ素子などを用いることが望ましい。なお、有機ＥＬ素子の場合、素子自体を長尺形状であるならば、複数の素子を主走査方向に配列する必要は必ずしもない。また、高速応答性を有する光学シャッタ装置（例えば、ＰＬＺＴ光シャッタ装置）を併用する場合、ハロゲンランプも光源として適用可能である。
【００３０】
また、センサ部１１０は、発光素子アレイ部１６０により照明される原稿の画像を主走査方向（紙面垂直方向）に読み取る撮像手段であり、受光素子が主走査方向に複数配列された、ＣＣＤあるいはＣＩＳなどのラインセンサにより構成される。
【００３１】
この図２において、原稿がプラテンガラス１７５上に読み取り面を下に向けた状態に載置された場合に、走査ユニット１７０Ａ，１７０Ｂがプラテンガラス１７５に沿って走査しつつ、原稿の片面の画像の読み取りを行う。
【００３２】
また、この図２において、１９０は自動原稿給送手段（以下、ＡＤＦと言う）であり、原稿の片面または両面を読み取るための給紙を行う手段である。ここで、原稿の両面給送が可能なＡＤＦ１９０の原稿載置部１９１には、原稿第１頁の表面を上にした状態の原稿ｄが複数枚載置されている。ＡＤＦ給紙ローラによって繰り出された原稿はＡＤＦローラ１９３を介して搬送される。このとき、第２のプラテンガラス１７６下方に位置する発光素子アレイ部１６０により原稿ｄの原稿面が照射され、その反射光がミラー１７１，１７２，１７３を介してセンサ部１１０の受光面に像を結ぶ。
【００３３】
この図２において、原稿ｄがプラテンガラス１７５上に読み取り面を下に向けた状態に載置された場合には、光学系（走査ユニット１７０Ａ、１７０Ｂ）はプラテンガラス１７５に沿って走査して読み取りを行う。また、原稿ｄがＡＤＦ１９０自動給紙されてローラ１９３の周囲を回る場合には、第２のプラテンガラス１７６下に走査ユニット１７０Ａとが移動してきて読み取りを行う。ここで、走査ユニット１７０Ａの移動速度、あるいは、ＡＤＦ給紙ローラ１９３のローラ表面の回転速度が、本実施形態の副走査速度に該当する。
【００３４】
〈画像読み取り装置の電気的構成〉
図１は本発明の第１の実施形態の画像読み取り装置内の詳細構成を示すブロック図である。なお、この図１では、本実施形態の動作説明に必要な部分の周囲を中心に記載してあり、その他の画像読み取り装置として既知の部分については省略してある。
【００３５】
１０１は画像読み取り装置１００各部を制御する制御部である。なお、この制御部１０１は、発光素子アレイ部１６０により照明される原稿の画像を、センサ部１１０により主走査方向に読み取ると共に、発光素子アレイ部１６０及びセンサ部１１０と原稿とを、主走査方向と直交する副走査方向に相対的に移動させることによって、センサ部１１０で原稿の画像の読み取りを行う際に、センサ部１１０での主走査方向の読み取り周期を変倍率に反比例するように制御し、発光素子アレイ部１６０の発光強度と１読み取り周期内の発光時間とを変倍率に関わらず一定に制御し、副走査速度を変倍率に関わらず一定に制御する。
【００３６】
１０３は原稿サイズや読み取りスタートなどの各種入力がなされる操作部である。１０５は画像読み取り装置の表示部であり、制御部１０１の制御に基づいて、各種状態あるいは各種メッセージを文字や数値コードや絵文字などによって表示する。あるいは、この表示部１０５は、必要に応じて、音声や光の点滅によって表示や報知する。なお、操作部１０３と表示部１０５とはタッチパネル形式で一体に構成されていてもよい。１０７はシェーディング補正データや各種設定データなどが保持記憶される記憶部である。
【００３７】
１１０は発光素子アレイ部１６０により照明される原稿の画像を主走査方向（紙面垂直方向）に読み取る撮像手段としてのセンサ部であり、受光素子が主走査方向に複数配列された、ＣＣＤあるいはＣＩＳなどのラインセンサにより構成される。
【００３８】
１２０はセンサ部１１０を駆動すると共に、センサ部１１０から出力される電荷読み出し信号を処理して画像データを生成するセンサ駆動部である。
１３０はセンサ駆動部１２０からの画像データに対して各種画像処理を施す画像処理部である。１４０は画像処理部１３０で画像処理される画像データを記憶する画像メモリである。なお、図示されない通信手段としてのインタフェースなどを介して、制御部１０１の制御に基づいて画像データが画像処理部１３０から外部機器に対して出力される。
【００３９】
１５０は発光素子アレイ部１６０を発光駆動する発光素子駆動部であり、制御部１０１の指示により、発光強度と１読み取り周期内の発光時間とを変倍率に関わらず一定に制御する。
【００４０】
１６０は複数の発光素子により構成された発光素子群を主走査方向（図２の紙面垂直方向）に複数備えた発光手段としての発光素子アレイ部であり、発光素子駆動部１５０によって、発光／非発光の発光駆動がなされる。
【００４１】
１７０は読み取り光学系駆動部であり、走査ユニット１７０Ａ，１７０Ｂがプラテンガラス１７５に沿って走査しつつ、原稿の片面の画像の読み取りを行う。この際、走査ユニット１７０Ａは、走査ユニット１７０Ｂの１／２の速度で副走査方向に移動することにより、原稿のどの位置をよみとっていても、原稿からセンサ部１１０までの距離（光路長）が一定となり、光学的な焦点距離を一定に保てる。
【００４２】
１９０は自動原稿給送手段（ＡＤＦ）であり、原稿の片面または両面を読み取るための給紙を行う手段である。このＡＤＦは、制御部１０１の制御により、所定の回転速度でＡＤＦ給紙ローラ１９３を回転させ、所定の給送速度（副走査速度）で原稿の給送を行う。
【００４３】
〈第一の実施形態の動作状態〉
以下、第一の実施形態の画像読み取り装置の動作について、図３のタイムチャートと図４以降の説明図を参照して、詳細な動作説明を行う。また、この画像読み取り装置の動作により画像読み取り方法の処理手順を説明する。
【００４４】
読み取り動作において、原稿の読み取り（本スキャン）に先立ち、操作部１０３に読み取りの際の変倍率の数値が入力されるか、ネットワークを介した外部のコンピュータ（図示せず）などから変倍率の指示があるか、あるいは、原稿サイズと出力用紙の指定とが操作部１０３に入力されるか、または、プリスキャンによって原稿サイズが自動取得されるか、などにより、読み取りの際の変倍率αが制御部１０１によって決定される。
【００４５】
このようにして変倍率αが決定されると、制御部１０１は、センサ部１１０の主走査方向読み取り周期Ｔhを延長する際の延長率βを変倍率αに応じて決定する。なお、この実施形態では、変倍が縮小である場合について説明を行う。
【００４６】
ここで、主走査方向読み取り周期Ｔhとは、発光素子アレイ部１６０及びセンサ部１１０と原稿とを、主走査方向と直交する副走査方向に相対的に移動させることによって、センサ部１１０で原稿の画像の読み取りを行う際に、センサ部１１０が１主走査ライン分の読み取りを行う時間、すなわち、１主走査ライン分の電荷蓄積時間を意味している。
【００４７】
ここで、変倍率に応じて決定される新たな主走査方向読み取り周期Ｔh'は、
Ｔh'＝β・Ｔh＝（１／α）・Ｔh、
と表すことができる。すなわち、変倍率に応じて、とは、変倍率に反比例して、の意味である。
【００４８】
この場合、６６％の縮小でαが０．６６であれば、主走査方向読み取り周期Ｔh'はＴh（図３（ａ））の１／０．６６、すなわち、１．５倍に延長される（図３（ｄ））。また、５０％の縮小でαが０．５であれば、主走査方向読み取り周期Ｔh'はＴhの１／０．５、すなわち、２．０倍に延長される（図３（ｇ））。また、３３％の縮小でαが０．３３であれば、主走査方向読み取り周期Ｔh'はＴhの１／０．３３、すなわち、３．０倍に延長される（図３（ｊ））。
【００４９】
そして、このような主走査方向読み取り周期延長（延長率β）によって、副走査方向のスキャン速度Ｓｖが一定であっても、主走査方向読み取りデータのライン数が１／βになる。これは、相対的に、副走査方向のスキャン速度がβ倍になったと等しい縮小効果が得られる。
【００５０】
すなわち、本実施形態では、制御部１０１は、副走査方向のスキャン速度Ｓｖは、図４実線に示すように、変倍率にかかわらず一定に制御する。なお、図４破線は従来のモータ制御による副走査スキャン速度Ｓｖ'を示している。このように、副走査スキャン速度を変倍率に関わらず一定に制御することにより、複雑なメカ的な制御や、広範囲の振動周波数に対応する振動対策の必要がない。
【００５１】
なお、従来であれば、センサ部１１０の受光量も通常時のβ倍になり、センサ部１１０に含まれる受光素子が飽和してしまう可能性があったため、原稿を照明する発光素子アレイ部１６０の発光強度を約１／βに低下させる光量制御が必要になっていた。また、この光量制御の理由もあり、全変倍率にわたって主走査方向読み取り周期延長を行うことができなかった。
【００５２】
ここで、本実施形態では、縮小の際の変倍率に応じて主走査方向読み取り周期延長を行う際に、発光素子アレイ部１６０の発光強度を変倍率に関わらず一定に制御すると共に、発光素子アレイ部１６０の１読み取り周期内の発光時間とを変倍率に関わらず一定に制御する（図３（ｃ）、（ｆ）、（ｉ）、（ｌ）、）。このような発光時間の制御により、主走査方向読み取り周期Ｔh'が延長されたとしても、１読み取り周期における受光量が変化しなくなり、変倍率に応じて受光素子が飽和することもなくなり、かつ、発光素子アレイ部１６０の発光強度を変える必要もなくなる。
【００５３】
なお、図５実線は本実施形態における主走査方向読み取り周期を変倍率との関係で示しており、図５破線は本実施形態における１主走査方向読み取り周期内の発光素子アレイ部１６０の発光時間を変倍率との関係で示している。
【００５４】
そして、発光素子アレイ部１６０の発光強度を一定に制御しているため、発光強度変更制御の駆動回路や制御シーケンスが必要ないことに加え、シェーディング補正データを複数用意する必要もなくなる。
【００５５】
なお、以上の発光素子アレイ部１６０の１読み取り周期における発光時間の制御は、発光素子駆動部１５０による制御であってもよいし、発光素子アレイ部１６０の出光側に配置された図示されないシャッタ手段によるものであってもよい。なお、シャッタ手段としては、発光の出力を透過と遮断とで制御するシャッタ手段であれば各種のものを使用することができる。
【００５６】
そして、センサ部１１０で得られた主走査方向の読み取りデータは画像処理部１３０で変倍率に応じて縮小され、副走査方向については間引きなどの特別な画像処理はなされずに、縮小読み取りされた画像データとして外部に出力される。
【００５７】
以上のように制御している結果、光学駆動部１７０においてモータ速度変更は必要なく、発光素子アレイ部１６０で発光強度変更の制御も必要なく、副走査方向のスキャン速度や間引きなどの複数種類の複雑な制御を組み合わせる必要もなく、安定した縮小機能を備えた画像読み取りを実現できる。
【００５８】
〈第二の実施形態〉
以上の第一の実施形態では、縮小の際の変倍率に応じて主走査方向読み取り周期延長を行う際に、発光素子アレイ部１６０の発光強度を変倍率に関わらず一定に制御すると共に、発光素子アレイ部１６０の１読み取り周期内の発光時間を変倍率に関わらず一定に制御（図３（ｃ）、（ｆ）、（ｉ）、（ｌ）、）していた。
【００５９】
これに対し、縮小の際の変倍率に応じて主走査方向読み取り周期延長を行う際に、発光素子アレイ部１６０の１読み取り周期内の発光時間を、発光素子アレイ部１６０の発光強度を変倍率に関わらず一定に制御すると共に、１読み取り周期内全体でＰＷＭ制御し、実効値として、変倍率に関わらず一定に制御することも可能である（図６（ｃ）、（ｆ）、（ｉ）、（ｌ）、）。
【００６０】
ここでは、変倍率１００％（縮小なし）で、主走査方向読み取り周期１００％、発光デューティー１００％とする（図６（ｃ））。この場合、変倍率６６％で、主走査方向読み取り周期１５０％、発光デューティー７５％とする（図６（ｆ））。また、変倍率５０％で、主走査方向読み取り周期２００％、発光デューティー５０％とする（図６（ｉ））。さらに、変倍率３３％で、主走査方向読み取り周期３００％、発光デューティー３３％とする（図６（ｌ））。
【００６１】
このようなＰＷＭ制御による実効的な発光時間の制御により、縮小の際の変倍率に応じて主走査方向読み取り周期Ｔh'が延長されたとしても、１読み取り周期における受光量が変化しなくなり、変倍率に応じて受光素子が飽和することもなくなり、かつ、発光素子アレイ部１６０の発光強度を変える必要もなくなる。
【００６２】
さらに、副走査速度を変倍率に関わらず一定に制御することにより、複雑なメカ的な制御や、広範囲の振動周波数に対応する振動対策の必要がない。これに加え、発光手段の発光強度が一定であるため、発光強度変更制御が必要ないことに加え、シェーディング補正データを複数用意する必要もなくなる。
【００６３】
すなわち、以上のように制御している結果、光学駆動部１７０においてモータ速度変更は必要なく、発光素子アレイ部１６０で発光強度変更の制御も必要なく、副走査方向のスキャン速度や間引きなどの複数種類の複雑な制御を組み合わせる必要もなく、安定した縮小機能を備えた画像読み取りを実現できる。
【００６４】
その他の実施形態（１）：
なお、以上の実施形態では、画像読み取り装置を具体例にして説明してきたが、画像読み取り装置を備えた複写機やファクシミリ装置などの場合にも上述した制御や処理を実行することで、同様の優れた効果を奏することが可能になる。
【００６５】
その他の実施形態（２）：
なお、以上の実施形態では、プラテンガラス上に原稿を載置する画像読み取り装置を具体例にしたが、これ以外の画像読み取り装置、例えば写真フィルムなどを読み取るフィルムスキャナ、フェースアップで載置された原稿を上方から読み取るオープンブックスキャナなど各種の画像読み取り装置に以上の実施形態を適用することが可能である。
【００６６】
その他の実施形態（３）：
以上の実施形態では、等倍時に主走査方向読み取り周期延長無し、縮小時に主走査方向読み取り周期延長、という具体例を示した。
【００６７】
これ以外に、等倍時にも数％程度の主走査方向読み取り周期延長有りに設定しておくことで、数％程度の拡大〜等倍〜縮小を連続した状態で、以上の第一実施形態で示した制御（変倍率に応じて主走査方向読み取り周期延長・発光素子アレイ部１６０の発光強度を変倍率に関わらず一定に制御・発光素子アレイ部１６０の１読み取り周期内の発光時間を変倍率に関わらず一定に制御）を適用することができるようになる。
【図面の簡単な説明】
【００６８】
【図１】本発明の実施形態の画像読み取り装置の電気的な構成を示す機能ブロック図である。
【図２】本発明の実施形態の画像読み取り装置の機械的な構成を示す構成図である。
【図３】本発明の第一の実施形態の画像読み取り時の処理動作を示すタイミングチャートである。
【図４】本発明の実施形態の画像読み取り装置の変倍率と主走査方向読み取り周期の関係示す構成図である。
【図５】本発明の実施形態の画像読み取り装置の変倍率と副走査方向スキャン速度の関係示す構成図である。
【図６】本発明の第二の実施形態の画像読み取り時の処理動作を示すタイミングチャートである。
【図７】従来の変倍率と副走査方向スキャン速度との関係を示す特性図である。
【符号の説明】
【００６９】
１００  画像読み取り装置
１０１  制御部
１０３  操作部
１０５  表示部
１０７  記憶部
１１０  センサ部
１２０  センサ駆動部
１３０  画像処理部
１４０  画像メモリ
１５０  発光素子駆動部
１６０  発光素子アレイ部
１７０  光源駆動部
【図１】
2007150981.tif 000003
【図２】
2007150981.tif 000004
【図３】
2007150981.tif 000005
【図４】
2007150981.tif 000006
【図５】
2007150981.tif 000007
【図６】
2007150981.tif 000008
【図７】
2007150981.tif 000009